(57)【特許請求の範囲】
【請求項１】
背面側に反射層が配置された反射型スクリーンであって、
水平方向に延在する遮光パターン層を備え、
前記遮光パターン層は、断面が三角形状の複数の遮光層と、透光層とを含み、
前記遮光層が、少なくとも下面、上面、及び、底面で構成され、
前記下面は、スクリーン面に対し略垂直に配置され、
前記底面は、前記スクリーン面に対し非平行に配置され、
前記底面の外側に、背面側の表面が平坦な透光層が配置され、
前記透光層の背面側に前記反射層が配置され、
前記底面と前記上面との少なくともいずれかの一部分は、前記反射層と接し、
前記底面の少なくとも前記下面との交点近傍と反射層との間に透光層が存在する反射型スクリーン。
【請求項２】
前記下面と前記スクリーン面とがなす角度は、８５°以上９５°以下であることを特徴とする請求項１記載の反射型スクリーン。
【請求項３】
前記上面と前記スクリーン面とがなす角度は、３０°以上８５°以下であることを特徴とする請求項２記載の反射型スクリーン。
【請求項４】
前記底面と前記スクリーン面とがなす角度は、５°以上であることを特徴とする請求項２または３記載の反射型スクリーン。
【発明の詳細な説明】
【技術分野】
【０００１】
本発明は、遮光パターンを備えた透光性シート、及びそれを用いた反射型スクリーン、特に斜め下方から映像を照射される場合に適した反射型スクリーンに関する。
【背景技術】
【０００２】
従来から、液晶、ＤＭＤ（Digital Micro mirror Device）を映像源としたプロジェクタが広く普及している。特に、スクリーン前面に映像光を投射するフロントプロジェクタは、容易に画像投影寸法を対角１００インチなどと大型にすることができるという長所があるため広く使用されている。
【０００３】
近年、様々な投射配置でフロントプロジェクタが使用されている。図８に、投射配置の一例を示す。図８に示すように、フロントプロジェクタ９２は、机上に配置されることが多く、スクリーン９１は、観察者から見て机の影とならないように、スクリーン９１全体が机の高さよりも上方に位置している。すなわち、スクリーン９１の下端が机の高さ程度に位置している。そのため、フロントプロジェクタ９２の投射系光軸９３は、スクリーン９１の下方に偏った位置となる。さらに投射系光軸９３の位置がスクリーン９１の外側となる場合もある。
【０００４】
さらに、狭い室内でも大画面を観賞できるよう、従来に比し投射距離が短く、斜め下方から急角度で映像を照射するフロントプロジェクタも使用されている。例えば、横縦４：３画面で投射系光軸がスクリーン下方にある液晶プロジェクタも開発されている。この液晶プロジェクタでは、投射角度は垂線に対し、下端で約８度、上端では約５０度でとなっている。
【０００５】
これらフロントプロジェクタでは、明室で観視すると外光がスクリーン面で反射して映像のコントラストが劣るという欠点がある。
この点を改善するためのスクリーンの一例が、特許文献１に開示されている。特許文献１に開示のスクリーンは、ブラインドスクリーン状（ルーバ状）の遮光層をスクリーン内部に設けたものである。
【０００６】
このような遮光パターンを設けたスクリーンでは、遮光パターンのピッチと映像の画素ピッチとが干渉し、モアレ障害を生じる場合がある。一般にモアレ障害を回避するためには、一方のピッチと他方のピッチとが単純な整数倍比率にならないように特定範囲のピッチを選定するか、一方のピッチに対し他方のピッチを例えば６倍以上などに設定する、といった対策がとられる。しかし、プロジェクタによってスクリーンへ映像を投射する場合、映像の画素数がプロジェクタの機種によって異なること、また投射サイズを変えられるプロジェクタも多いことなどから、特定範囲のピッチを選定することによってモアレ障害を回避する事は難しい。また遮光パターンのピッチが大きいと映像の精密さに問題が生じる場合がある。したがってモアレ障害を回避するためには遮光パターンのピッチを画素ピッチに対し数分の１などとする必要がある。画素ピッチは例えば、横縦４：３比率、対角６０インチのスクリーンに、垂直方向の画素が４８０列である場合、垂直方向の画素ピッチは約２ｍｍであるため、遮光パターンの好ましいピッチは０．３ｍｍ以下などである。また近年は高精細化の傾向にあるためさらに画素ピッチが小さい場合もあり、遮光パターンのさらに好ましいピッチは０．２ｍｍ以下などである。しかし、特許文献１に開示されたルーバ状の遮光層を微細なピッチで大画面に形成する事は困難である。
【０００７】
ルーバ状に類似する形状の遮光層を微細なピッチで大画面に形成する技術の一例が、特許文献２に開示されている。特許文献２に開示のスクリーンは、断面が楔状パターンの遮光層をスクリーン内部に設けたものである。楔状パターンの遮光層を製造する方法としては、例えば特許文献３などに、楔形突起が設けられた金型を使用して表面にＶ字状の溝を設けたシートを転写成形し、その後溝部に遮光材料を充填する方法が開示されている。
【０００８】
しかしながら、特許文献１、特許文献２の技術は、スクリーン正面方向から映像光を照射した場合にコントラストを改善するものであり、上述のように斜め下方から映像を照射する場合には映像光も暗くなる、と言う問題がある。
【０００９】
この問題に対して、斜め下方から映像を照射する場合に対応するため、図９に示すように楔状パターンを斜め下方へ傾ける事が考えられる。図９に示す反射型スクリーン９４は、遮光パターン層９５内に、楔状パターンを斜め下方に傾けた複数の遮光層９６が、反射層９７に接して配置されている。しかし、金型から成形品を離型する工程を考慮すると、極端に傾けた形状を成形することは困難である。
【特許文献１】特開平０３−０９８０３８号公報
【特許文献２】特開２００６−３０１５８８号公報
【特許文献３】特開２００６−１７８０９２号公報
【発明の開示】
【発明が解決しようとする課題】
【００１０】
上述したように、斜め下方から映像を照射する場合にコントラストを改善するため、製造が簡単な、斜めに傾いたルーバ状遮光層を備えた透光性シートが求められている。また斜め下方から映像を照射する場合に適し、外光コントラストに優れた反射型スクリーンが求められている。
【課題を解決するための手段】
【００１１】
本発明に係る透明性シートの一態様は、水平方向に延在する遮光パターン層を有する透光性シートであって、前記遮光パターン層は、断面が三角形状の複数の遮光層を含み、前記三角形状は、少なくとも下面、上面、及び、底面で構成され、前記下面は、シート面に対し略垂直に配置され、前記底面は、前記シート面に対し非平行に配置され、前記底面の外側にはさらに透光層を備え、前記透光層の表面は平坦である。遮光パターン層に三角形状の遮光層を形成することによって、斜めに傾いたルーバと同様の機能を実現させる。
【００１２】
本発明に係る反射型スクリーンの一態様は、背面側に反射層が配置された反射型スクリーンであって、水平方向に延在する遮光パターン層を備え、前記遮光パターン層は、断面が三角形状の複数の遮光層と、透光層とを含み、前記三角形状は、少なくとも下面、上面、及び、底面で構成され、前記下面は、スクリーン面に対し略垂直に配置され、前記底面は、前記スクリーン面に対し非平行に配置され、前記底面の外側に、背面側の表面が平坦な透光層が配置され、前記透光層の背面側に前記反射層が配置され、前記底面と前記上面との少なくともいずれかの一部分は、前記反射層と接し、前記底面の少なくとも前記下面との交点近傍と反射層との間に透光層が存在する。上述した透明性シートを用いた反射型スクリーンにより、上面が斜めに傾いたルーバと同様の機能を実現するため、斜め下方から映像を照射する場合に適し、外光コントラストに優れたスクリーンを提供することができる。
【００１３】
本発明にかかる反射型スクリーンの一態様において、前記下面と前記スクリーン面とがなす角度は、８５°以上９５°以下であることが好ましい。また、前記上面と前記スクリーン面とがなす角度は、３０°以上８５°以下であることが好ましい。さらに、前記底面と前記スクリーン面とがなす角度は、５°以上であることが好ましい。
【００１４】
本発明に係る透明性シートの製造方法の一態様は、水平方向に延在する遮光パターン層を有する透光性シートの製造方法であって、シート面に略垂直な下面と、前記下面と非平行であり、一端が前記下面と隣接する上面からなる凹部を複数有する透明凹凸パターン層を形成する工程と、前記凹部へ遮光材料を充填し、前記下面、前記上面、及びシート面に非平行となる底面とを含む三角形状となるように加工する工程と、前記底面の外側に透明樹脂層を形成する工程と、を備える。斜めに傾いたルーバ状遮光層を備える透光性シートを、上面をルーバと同様の傾きをとし、下面をシート面に略垂直にすることにより、透明性シートを容易に製造することができる。
【発明の効果】
【００１５】
本発明の透光性シートの一態様によれば、斜めに傾いたルーバ状遮光層を簡便に製造することができる。また、本発明の反射型スクリーンの一態様によれば、簡便に製造することができ、斜め下方から映像を照射する場合に適し、外光コントラストに優れた反射型スクリーンを提供することができる。
【発明を実施するための最良の形態】
【００１６】
以下、本発明の実施形態について、図面を参照しながら説明する。説明の明確化のため、以下の記載及び図面は、適宜、省略、及び簡略化がなされている。各図面において同一の構成または機能を有する構成要素および相当部分には、同一の符号を付し、その説明を省略する。また、Ｘ〜Ｙ（Ｘ，Ｙは数値）は、Ｘ以上Ｙ以下を意味する。
【００１７】
（実施形態１）
以下、図を用いて本発明の透光性シートおよび反射型スクリーンを説明する。図１は本発明のスクリーンの一例の断面を示した概略図である。図１では、反射型スクリーン１０の水平方向に垂直な断面を示している。同図に示すように、反射型スクリーン１０は、水平方向に伸び、透光層１１の間に、断面が三角形状（略三角形）である遮光層１２のパターンが上下方向に複数配列され、背面側に反射層１３が設けられている。ここでは、反射層１３と対向し、映像光が入射する面を入射面１４という。反射層１３あるいは入射面１４に平行な面をシート面あるいはスクリーン面という。また、透光層１１と遮光層１２とを遮光パターン層１５という。
【００１８】
図２は、遮光層１２と反射層１３との配置例を示す図である。図２に示すように、断面が略三角形である遮光層１２は、上面、下面、底面で構成される。また説明の便宜上、上面と底面の交点を頂点１と呼ぶ。同様に、上面と下面との交点を頂点２、下面と底面との交点を頂点３と呼ぶ。
【００１９】
本発明の反射型スクリーン１０では、三角形の頂点２が観察側（入射面１４側）に向き、底面が反射層１３側に向いている。このような構成とする事により、図３に示すように遮光層はおおよそ斜め下向きのルーバと同等の作用を発揮する。ルーバ９と同等の作用であることを説明するため、図３では、ルーバ９を太線で示し、遮光層１２と重ねて表している。
【００２０】
次に図１、２のような遮光層のパターンを形成する方法について図４（ａ）〜（ｅ）を用いて述べる。図４は、本実施形態の反射型スクリーンの製造工程の一例を示す図である。
【００２１】
まず図４（ａ）に示す、四角形の凸部が並んだ透光性シート２０を製造する。図４（ａ）は、成形型と第１の紫外線硬化性樹脂によって透明基材シート２１の片面に四角形の凸部が並んだ透明凹凸パターン層２２を形成した例である。成形型の形状は、図２に示す遮光層１２の頂点１〜頂点２〜頂点３〜頂点１を結ぶ形状が繰り返されたものを使用する。凹部は、シート面に略垂直な下面と、下面と非平行であり、一端が下面と隣接する上面からなる形状であるともいえる。
【００２２】
次いで図４（ｂ）に示すように、透光性シート２０の透明凹凸パターン層２２側の凹部の一部であり、三角形の遮光層１２となる領域のみに遮光材料を充填する。充填方法としては、例えば、特許文献３に開示されているようなワイピング方法（以下掻き取り印刷）を採用できる。このとき、例えばゴム硬度が９０以下などと柔軟性に富むゴムスキージを掻き取り具として使用する事により、頂点１、頂点２、頂点３を結ぶ三角形領域のみに遮光材料を充填し、その他の凹部である、頂点１、頂点３および隣接する頂点１を結ぶ領域には、遮光材料を充填しないようにする事ができる。
【００２３】
その後、透光性シート２０の遮光パターン層側に第２の紫外線硬化性樹脂を塗布し、金属ブレードなどの硬質の掻き取り具を使用し、図４（ｃ）に示すように、頂点１、頂点３および隣接する頂点１を結ぶ領域のみに樹脂を充填し、硬化する。透光性シート２０の遮光パターン層側は、透光性シート２０へ遮光層１２を形成した側であり、透明基材シート２１とは反対側を指す。このようにして、透明樹脂層２３を形成する。
【００２４】
以上の工程により、斜めに傾いたルーバ状遮光層１２を備えた透光性シート２０を簡単に製造する事ができる。なお、スクリーンとして使用しない場合は頂点１より外側に透光層があってもよい。
【００２５】
更にその後、図４（ｄ）に示すように、ルーバ状遮光層１２を備えた透光性シート２０の遮光パターン層側に金属薄膜あるいは光拡散剤含有樹脂などを積層し、反射層１３を形成する。図４（ｅ）に、製造した反射型スクリーンの状態を示す。
【００２６】
以上の工程により、本発明の三角形状の遮光層を備えた反射型スクリーン１０を製造できる。
【００２７】
なお、第２の紫外線硬化性樹脂を透明接着剤として用い、光反射性のシートを積層すれば、図４（ｃ）および図４（ｄ）に示す工程を一度に行う事もできる。例えば透光性シートの遮光パターン層側に第２の紫外線硬化性樹脂を塗布後、あらかじめ反射層を形成したシートを積層、ニップし、頂点１、頂点３および隣接する頂点１を結ぶ領域以外の紫外線硬化性樹脂を排除して積層し、その後紫外線硬化性樹脂を硬化することができる。
【００２８】
本発明の反射型スクリーン１０では三角形状の遮光層１２の頂点１は反射層に接している事が必要である。頂点１と反射層１３の間に透光層があると、映像光線が三角形状の遮光層１２を隔てた隣の透光部に侵入し、映像の鮮明さを失う。
【００２９】
続いて、遮光層１２の三角形状について説明する。図５は、遮光層１２の形状を説明する図である。説明のため、二つの遮光層１２を示し、二つを区別する場合、図５に示すように１２ａ、１２ｂとして説明する。三角形状の遮光層１２の下面がスクリーン面（シート面）に対しなす角θ２は略９０度（スクリーン面と略垂直）である必要がある。例えば、θ２は、８５度以上９５度以下である。これより小さいと透明凹凸パターン層２２の成形性、離型性に問題が生じる。これより大きいと遮光層１２が斜め下向きのルーバ９と同等の作用を発揮することが困難になる。
【００３０】
三角形状の遮光層１２の上面がスクリーン面に対しなす角θ１は３０度以上８５度以下であることが好ましい。これより小さいとスクリーン正面寄りから映像光を照射した場合、映像が暗くなる場合がある。これより大きいと上面と下面とが成す角（頂部２の角度）が小さくなりすぎ、成形型の耐久性に問題が生じる場合がある。
【００３１】
三角形状の遮光層１２の底面がスクリーン面に対しなす角θ３は５度以上であることが好ましい。これより小さいと遮光層１２が斜め下向きのルーバ９と同等の作用を発揮することが困難になる。
【００３２】
また掻き取り印刷において、遮光層１２ａの頂点１、頂点３および隣接する遮光層１２ｂの頂点１を結ぶ領域の遮光材料を充分排除するべく、スキージの押付け圧力を高くしたりスキージを柔らかくしたりすると、スキージの一部が頂点１近傍で上面に接するようになる。そうすると、頂点１、頂点２、頂点３を結ぶ三角形領域の頂部１近傍の遮光材料まで排除してしまう恐れがあるため、θ３は（θ１−５）度以下、言い換えると頂点１の角度が５度以上であることが好ましい。
【００３３】
頂点３および隣接する頂点１を結ぶ線がスクリーン面に対しなす角θ４は５度以上４５度以下であることが好ましい。これより小さいと遮光層１２が斜め下向きのルーバ９と同等の作用を発揮することが困難になる。これより大きいと、掻き取り印刷において頂点１、頂点２、頂点３を結ぶ三角形領域の遮光材料を選択的に残し、頂点１、頂点３および隣接する頂点１を結ぶ領域の遮光材料を充分排除することが困難になる。
【００３４】
また透明基材シート２１と第１、第２の紫外線硬化性樹脂の硬化後の光学的特性（例えば屈折率）を一致させれば、これらの境界は光学的には無くなるため、光学設計が容易になる、という利点がある。ここで、第１の紫外線硬化性樹脂は、図４の透明凹凸パターン層２２を形成し、第２の紫外線硬化性樹脂は、図４の透明樹脂層２３を形成するものを指している。以下、本明細書で紫外線硬化性樹脂の屈折率について述べる場合は特に断りの無い限り、硬化後の樹脂の屈折率のことを言う。
第１の紫外線硬化性樹脂の屈折率を遮光材料の屈折率より高くしてもよい。第１の紫外線硬化性樹脂の屈折率と第２の紫外線硬化性樹脂の屈折率を異ならせてもよい。
【００３５】
図６を用いて外光が吸収される様子を示す。同図にはスクリーン断面の拡大図と外光がスクリーン中を通過する光線経路が示されている。同図では第１の紫外線硬化性樹脂の屈折率は遮光材料の屈折率より高く、また第２の紫外線硬化性樹脂の屈折率は遮光材料の屈折率と同じ場合が示されている。
【００３６】
外光１は比較的上方からスクリーンへ照射される光線である。外光１は入射面で屈折した後、遮光層１２の三角形上面に入射し、遮光される。
【００３７】
外光２は比較的正面方向寄りの上方からスクリーンへ照射される光線である。外光２は入射面で屈折した後、遮光層１２の三角形上面に入射する。ここで、第１の紫外線硬化性樹脂の屈折率は遮光材料の屈折率より高い事に留意すると、臨界角より小さい角度で遮光層１２の三角形上面に入射した場合は外光１と同様に遮光される。一方、臨界角より大きい角度で遮光層１２の三角形上面に入射した場合は界面で全反射する。全反射した外光２は遮光層１２の三角形上面と対向する遮光層１２の三角形下面の間で反射を繰り返すうち、次第に遮光層１２界面への入射角が小さくなるため、外光１と同様に遮光される。
【００３８】
外光３は外光２と同様、比較的正面方向寄りの上方からスクリーンへ照射される光線であるが、外光２とは異なり、直接、あるいは遮光層１２界面で反射した後、反射層１３へ到達した光線経路を示している。本発明では遮光層１２の三角形底面と反射層１３の間には透光層があるため、外光３は遮光層１２の三角形底面へ到達し、遮光される。また遮光層１２の三角形底面の一端は反射層１３に接しているため、外光が隣の透光層１１へ到達することなく、遮光される。
以上のように、本発明の反射型スクリーン１０は斜め上方からの外光を有効に遮光する事ができる。
【００３９】
次いで図７を用いて映像光が反射される様子を示す。同図にはスクリーン断面の拡大図と映像光がスクリーン中を通過反射する光線経路が示されている。例えば第１の紫外線硬化性樹脂の屈折率を１．６、遮光材料および第２の紫外線硬化性樹脂の屈折率を１．５とする。またθ１は７８度、θ２は９０度、θ３は１０度とする。
【００４０】
映像光１は入射角３０度でスクリーン面へ入射する映像光線である。このとき、映像光１はスクリーン入射面１４において屈折角約１８度で屈折し、遮光層１２の三角形下面へ入射する。遮光層１２の三角形下面はスクリーン面に対し垂直であるので、映像光１の遮光層１２の三角形下面へ入射角約７２度で入射する。屈折率が１．６から１．５へ変わる界面ではその臨界角は約７０度であるため、映像光１は全反射し、さらに反射層１３で反射された後、観察側へ反射される。なおこの場合映像光１は直接遮光層１２の三角形上面へは入射しない。
【００４１】
映像光２は入射角１５度でスクリーン面へ入射する映像光線である。映像光２はスクリーン入射面において屈折角約９度で屈折し、遮光層１２の三角形上面へも入射する。三角形上面への入射角は約８７度となり、全反射する。その後、反射層１３で反射し、隣接する遮光層１２の三角形下面へ入射角約７５度で入射するので全反射し、観察側へ反射される。
【００４２】
映像光３は斜め下方からスクリーンへ照射される光線であるが、直接反射層１３へ入射し、
遮光層１２の三角形底面へ到達した光線である。映像光３は観察側へは反射されないが、その割合は比較的小さいため、映像光の減衰は小さい。
【００４３】
以上のように、スクリーン全体としてはスクリーン正面方向から入射した映像光は比較的減衰せずに反射され、外光は比較的大きく減衰されるため、明るくコントラストに優れた映像を提供できる。
【００４４】
（その他の実施形態）
実施形態１では、三角形状の遮光層１２の一例として、上面、下面及び底面からなる三角形を用いて説明したが、これに限られるわけではない。本発明における三角形状とは、三角形を基本形とするが、その辺が若干曲線あるいは折れ線状などであってもよい。またこれらを組み合わせることで視野角を調整できる。また三角形の先端を切り欠いたような平坦部や丸まった面取り部分があっても良い。このように、遮光層１２の三角形状は、少なくとも上面、下面及び底面から構成されればよく、各面は上述した形状のものを含み、必ずしも３つの頂点を有する三角形でなくてもよい。
【００４５】
また、三角形下面と底面との交点近傍等、二つの面の交点近傍とは、二つの面により形成される頂点の近傍や、二つの面が隣接する部分の近傍を含む。
さらに、反射型スクリーン１０において、遮光層１２の一部分、具体的には遮光層１２の上面と底面との少なくとも一方が反射層１３と接し、反射層１３に接する透光層１１が遮光層１２によって分断されることが必要である。
【００４６】
反射層１３は鏡面反射である事が好ましい。拡散性が大きすぎると映像光及び外光が図６，７に示したような経路を通らない成分が増すので明るさ及びコントラスト性能が不十分となる場合がある。
最も観察側の面は防眩機能、反射防止機能を付与する事が好ましい。映像光が入射面１４で反射し、まぶしくなる事を防止できる。
【００４７】
遮光パターンのピッチは０．０３ｍｍ〜０．３ｍｍの範囲が好ましい。これより大きいと、投射された映像のスクリーン面における画素ピッチと遮光パターンのピッチが干渉して生じるモアレ障害が目立つ場合がある。これより小さいと遮光パターンを精度よく製造することが難しくなる。
【００４８】
本発明の透光性シートは上述の紫外線硬化性樹脂を用いたいわゆる２Ｐ成形法のほか、公知の方法で製造でき、例えば熱可塑性樹脂を用いた押出し製法や、基材シートを熱プレスする方法などを採用できる。また透光性シートには成形のむらを目立ちにくくする目的などで拡散材を０．１〜１０重量％程度混入してもよい。
【００４９】
遮光材料としてはカーボン粒子、顔料、染料などを混合した紫外線硬化性インク、熱硬化性インクなどを用いる事ができる。本発明の透光性シートを視野角制御シートなどとして使用し、外光吸収性能を必要としない場合は、遮光材料として黒色以外、例えば白色顔料を含んだインクを使用できる。
【００５０】
反射層としては金属蒸着膜などを採用でき、例えばポリエチレンテレフタレート系樹脂フィルムにアルミニウムを蒸着したものを透光性シートに積層して使用できる。
反射層の更に背面側に裏打ち層を設けても良い。難燃性および巻き取り収納した際のこすれによる表面傷付きが少ない点で例えば軟質塩化ビニル製シートが好ましい。
【００５１】
以上のように、本発明の好適な実施形態によれば簡便な製造方法で斜めに傾いたルーバ状遮光層を備えた透光性シートを提供できる。また同透光性シートを用いて明るく外光コントラストに優れた反射型スクリーンを提供できる。特に、本発明の好適な反射型スクリーンは、スクリーン斜め下方から照射された映像光は大きな減衰が無く観視側へ反射できる一方、上方から入射する外光は遮光層で遮られるため、外光コントラストに優れる。
なお、上記各実施形態では、透明性シートまたは反射型スクリーンの構成の説明を容易にするため、水平方向に複数の三角形状の遮光層を有する遮光パターン層が延在する透明性シートの配置を用いて説明した。しかしながら、透明性シート（あるいは反射型スクリーン）において、遮光層とシート面との関係が上記各実施形態と同様であれば透明性シートが配置される方向が異なる場合もあり得る。
【００５２】
なお、本発明は上記に示す実施形態に限定されるものではない。本発明の範囲において、上記実施形態の各要素を、当業者であれば容易に考えうる内容に変更、追加、変換することが可能である。
【図面の簡単な説明】
【００５３】
【図１】本発明のスクリーンの一例の断面を示した概略図である。
【図２】遮光層と反射層との配置例を示す図である。
【図３】遮光層がルーバと同様の作用を発揮する様子を示す図である。
【図４】本実施形態の反射型スクリーンの製造工程の一例を示す図である。（ａ）は透光性シートを製造した工程、（ｂ）は遮光材料を充填し、遮光層を形成した工程、（ｃ）は遮光材料の外側に透明樹脂層を充填した工程、（ｄ）は反射層を形成した工程、（ｅ）は完成した状態を示す図である。
【図５】遮光層の形状を説明する図である。
【図６】本実施形態の反射型スクリーンにおいて、外光が吸収される様子を示す図である。
【図７】本実施形態の反射型スクリーンにおいて、映像光が反射される様子を示す図である。
【図８】投射配置の一例を示す図である。
【図９】楔状パターンを斜め下方へ傾ける遮光層の一例を示す図である。
【符号の説明】
【００５４】
１０  反射型スクリーン
１１  透光層
１２、１２ａ、１２ｂ  遮光層
１３  反射層
１４  入射面
１５  遮光パターン層
２０  透光性シート
２１  透明基材シート
２２  透明凹凸パターン層
２３  透明樹脂層
【図１】
0005189372.tif 000002
【図２】
0005189372.tif 000003
【図３】
0005189372.tif 000004
【図４】
0005189372.tif 000005
【図５】
0005189372.tif 000006
【図６】
0005189372.tif 000007
【図７】
0005189372.tif 000008
【図８】
0005189372.tif 000009
【図９】
0005189372.tif 000010